(57)【要約】【課題】ライブビュー画像を表示中にプレビュー画像を表示可能な撮像装置において、ユーザの意図に沿ったピント確認を迅速に行うことができる撮像装置を提供すること。【解決手段】表示部２０３にライブビュー表示がなされているときに、ユーザは操作部２０８によって複数の拡大ポイントを設定する。拡大ポイントが設定されると、表示部２０３に複数の拡大ポイントの拡大表示が同時になされる。この状態で、ユーザがプレビューボタン２０８ｆを押圧するとカメラ本体２００の動作モードがプレビューモードとなり、複数の拡大ポイントのピント状態を同時に詳細に確認することが可能である。【選択図】      図１
2008160744.tif 000002
【特許請求の範囲】
【請求項１】
被写体を撮像して画像信号を生成する撮像部と、
上記生成された画像信号に基づいて画像を表示する第１表示部と、
上記第１表示部に表示された画像の中から複数の部分画像を選択する選択部と、
上記選択された複数の部分画像の中の何れかの部分画像が最適化されるような露出パラメータで上記撮像部を動作させる露出制御部と、
上記露出パラメータで上記撮像部を動作させて得られた画像信号に基づいて上記第１表示部に表示された画像の中から上記選択部によって選択された複数の部分画像を拡大する画像拡大部と、
上記拡大された複数の部分画像を同時に表示する第２表示部と、
を具備することを特徴とする撮像装置。
【請求項２】
上記複数の部分画像の何れかに対応する被写体にピントが合うように上記撮像部の焦点を調整する焦点制御部を含むことを特徴とする請求項１に記載の撮像装置。
【請求項３】
上記第１表示部はライブビュー画像を表示する機能を更に有し、
上記第２表示部は上記第１表示部に表示されるライブビュー画像に基づき、上記複数の部分画像の拡大画像を表示することを特徴とする請求項１に記載の撮像装置。
【請求項４】
上記第２表示部は、画像毎に表示面積を変えて上記複数の部分画像を同一の拡大率で拡大した拡大画像を表示することを特徴とする請求項１に記載の撮像装置。
【請求項５】
上記撮像部の自動焦点調整を行うオートフォーカス部を含み、
上記第２表示部は、上記オートフォーカス部によって合焦された被写体に対応する部分画像の拡大画像の表示面積を最大にして表示することを特徴とする請求項４に記載の撮像装置。
【請求項６】
上記部分画像のそれぞれに対して優先度を設定するための優先度設定部を含み、
上記第２表示部は、上記優先度設定部によって設定された優先度に従って上記部分画像のそれぞれの表示面積を設定することを特徴とする請求項４に記載の撮像装置。
【請求項７】
上記露出パラメータは絞り値であることを特徴とする請求項１に記載の撮像装置。
【発明の詳細な説明】
【技術分野】
【０００１】
本発明は、撮影前に露出効果を確認することができるプレビューモードを有する撮像装置に関する。
【背景技術】
【０００２】
近年、撮影前に、シャッタを開放した状態で繰り返し撮像を行い、この結果を動画像として逐次ＬＣＤ等のモニタに表示することにより、モニタ上で構図等の確認を可能とした、所謂ライブビュー（スルー画表示等とも呼ばれる）機能を有するデジタルカメラが知られている。そして、このライブビュー表示を行っている際に、画像の一部を拡大表示することにより、ライブビュー表示中のピント状態の確認を更に容易としたデジタルカメラも各種提案されてきている。
【０００３】
例えば、特許文献１では、ライブビュー表示中に被写体のフォーカス状態を確認するためのフォーカス枠を表示し、このフォーカス枠内の部分画像を拡大表示可能としている。これにより、ユーザはフォーカス枠内のピント状態を詳細観察でき、必要に応じてピント合わせ（合焦調整）をやり直したりすることができる。
【０００４】
また、特許文献２では、表示部として２つの撮影範囲確認用のＬＣＤとピント状態確認用のＥＶＦ（電子ビューファインダ）とを設けておき、ＬＣＤに表示されている画像内の中央部付近の拡大画像をＥＶＦに表示させるようにしている。
【０００５】
また、近年では、ライブビュー画像の表示中に、絞り等の効果を確認するためのプレビュー画像を表示可能としたデジタルカメラも各種提案されている。このようなプレビュー画像では、主要被写体のピント状態だけでなく、その周辺の背景被写体のピント状態を確認することも可能である。
【特許文献１】特開２００６−２２２９７９号公報
【特許文献２】特開２００１−１７７７４１号公報
【発明の開示】
【発明が解決しようとする課題】
【０００６】
ここで、上記した特許文献１と特許文献２とは何れも、ライブビュー表示中の画像内において主要被写体が存在する１範囲のみを拡大表示している。即ち、背景被写体のピント状態を撮影前のライブビュー表示中に確認することはできない。このため、ユーザの意図に沿った被写体のぼけ状態を調整して、ユーザの望む効果の画像を撮影することは困難である。
【０００７】
本発明は、上記の事情に鑑みてなされたもので、ライブビュー画像を表示中にプレビュー画像を表示可能な撮像装置において、ユーザの意図に沿ったピント確認を迅速に行うことができる撮像装置を提供することを目的とする。
【課題を解決するための手段】
【０００８】
上記の目的を達成するために、本発明の第１の態様による撮像装置は、被写体を撮像して画像信号を生成する撮像部と、上記生成された画像信号に基づいて画像を表示する第１表示部と、上記第１表示部に表示された画像の中から複数の部分画像を選択する選択部と、上記選択された複数の部分画像の中の何れかの部分画像が最適化されるような露出パラメータで上記撮像部を動作させる露出制御部と、上記露出パラメータで上記撮像部を動作させて得られた画像信号に基づいて上記第１表示部に表示された画像の中から上記選択部によって選択された複数の部分画像を拡大する画像拡大部と、上記拡大された複数の部分画像を同時に表示する第２表示部とを具備することを特徴とする。
【発明の効果】
【０００９】
本発明によれば、ライブビュー画像を表示中にプレビュー画像を表示可能な撮像装置において、ユーザの意図に沿ったピント確認を迅速に行うことができる撮像装置を提供することができる。
【発明を実施するための最良の形態】
【００１０】
以下、図面を参照して本発明の実施形態を説明する。  
図１は、本発明の一実施形態に係る撮像装置の構成の一例を示すブロック図である。ここで、図１の撮像装置は、交換レンズ１００とカメラ本体２００とから構成されるレンズ交換式のデジタルカメラを例としている。
【００１１】
以下、図１の各部について説明する。なお、図１は本実施形態に係る撮像装置を説明するための必要最小限の構成のみを図示しているものであり、本実施形態は図１の構成に限定されるものではない。例えば、図１のカメラ本体２００に光学式のファインダを設けるようにしても良い。
【００１２】
交換レンズ１００は、フォーカスレンズ１０１と、絞り１０２と、レンズ駆動部１０３と、絞り駆動部１０４と、レンズ制御部１０５とから構成されている。
【００１３】
フォーカスレンズ１０１は、図示しない被写体からの光束をカメラ本体２００内部の撮像部２０１に入射させる。絞り１０２はフォーカスレンズ１０１を介してカメラ本体２００内部に入射する光束を制限する。絞り１０２を絞り込むことにより、カメラ本体２００内部に入射する光束の量が減少して画像が暗くなるが、被写界深度が深くなるので主要被写体（フォーカスレンズ１０１のピントが合せられている被写体）だけでなく背景被写体も鮮明な像として撮影することが可能である。逆に、絞り１０２を開くと、被写界深度が浅くなり、背景被写体がぼけて撮影されるようになる。このように、絞り１０２の絞り込み状態に応じて背景被写体のぼけ具合を調整することが可能である。
【００１４】
レンズ駆動部１０３は、フォーカスレンズ１０１をその光軸方向に駆動する。絞り駆動部１０４は絞り１０２の絞り込みを行う。レンズ制御部１０５はカメラ本体２００のカメラ制御部２０６からの指示を受けてレンズ駆動部１０３及び絞り駆動部１０４を制御する。なお、本実施形態のカメラにおいては、フォーカスレンズ１０１及び絞り１０２をユーザによる手動でも駆動可能である。
【００１５】
カメラ本体２００は、撮像部２０１と、画像処理部２０２と、表示部２０３と、画像記録媒体２０４と、外部インターフェイス（Ｉ／Ｆ）２０５と、カメラ制御部２０６と、Ｆｌａｓｈメモリ２０７と、操作部２０８とから構成されている。
【００１６】
撮像部２０１は、撮像素子２０１ａ、撮像素子駆動回路２０１ｂ、撮像信号処理回路２０１ｃ等から構成されている。撮像素子２０１ａは、フォーカスレンズ１０１を介して入射する被写体からの光束を受光する画素が２次元状に配列されて構成され、受光した光束を電気信号に変換する。撮像素子駆動回路２０１ｂは、カメラ制御部２０６からの制御信号を受けて撮像素子の駆動を制御する。撮像信号処理回路２０１ｃは、相関二重サンプリング（ＣＤＳ）回路、自動利得制御（ＡＧＣ）回路、アナログ／デジタル（Ａ／Ｄ）変換回路等を備え、撮像素子から出力される電気信号に対してＣＤＳ処理、ゲイン調整といったアナログ処理を施した後、これによって得られた信号をデジタル信号（画像データ）に変換して画像処理部２０２に出力する。
【００１７】
画像処理部２０２は、撮像部２０１において得られる画像データに対してホワイトバランス補正、色補正、階調補正等の、表示や記録のために必要な各種の画像処理を施す。更に、画像の記録時には、処理した画像データをＪＰＥＧ方式等の所定の圧縮形式で圧縮した後で、画像記録媒体２０４に記録する処理も行う。また、画像の再生時には、画像記録媒体２０４に記録されている圧縮データを読み出して伸張した後、伸張して得られる画像データを映像信号に変換し、この映像信号に基づいて表示部２０３に画像を表示させる処理を行う。更に、ライブビュー画像の表示時には、撮像部２０１において逐次取得される画像を表示部２０３に表示させる処理を行う。またライブビュー画像の表示時にユーザによって所定の操作がなされた場合には撮像部２０１において逐次取得される画像を拡大した後で表示部２０３に表示させる処理も行う。
【００１８】
表示部２０３は、例えばＬＣＤから構成され、画像処理部２０２による制御に従って画像が表示される。また、表示部２０３には、詳細は後述するプレビューや、カメラ本体２００の各種の詳細設定を行うためのメニュー画面等も表示される。画像記録媒体２０４は、例えばカメラ本体２００に挿脱自在に構成されたメモリカードであり、画像処理部２０２による制御に従って画像が記録される。
【００１９】
外部Ｉ／Ｆ２０５は、カメラ本体２００に各種の外部機器を接続するためのインターフェイスである。なお、外部Ｉ／Ｆ２０５には、例えばＵＳＢ方式等の種々の方式のインターフェイスを用いることが可能である。
【００２０】
カメラ制御部２０６は、撮像部２０１、画像処理部２０２、及び外部Ｉ／Ｆ２０５の動作制御を行う。また、カメラ制御部２０６は、交換レンズ１００がカメラ本体２００に装着されたときに、レンズ制御部１０５と通信自在に接続され、レンズ制御部１０５の動作を制御する。Ｆｌａｓｈメモリ２０７は、カメラ制御部２０６が各種シーケンスを実行するためのプログラムや各種の設定値を保持している。
【００２１】
操作部２０８は、カメラ本体２００の外装部に設けられる各種の操作部である。ここで、図１においては、操作部の例として、レリーズボタン２０８ａ、合焦モード切替ボタン２０８ｂ、十字ボタン２０８ｃ、決定ボタン２０８ｄ、拡大ボタン２０８ｅ、プレビューボタン２０８ｆを示している。レリーズボタン２０８ａは、撮影実行指示をカメラ制御部２０６に与えるための操作部である。合焦モード切替ボタン２０８ｂは合焦モードの切り替え指示をカメラ制御部２０６に与えるための操作部である。ここで、本実施形態においては、合焦モードとして、例えば、撮影画面内の複数の点から所定の条件を満たす１点（例えば最至近の点や中央の点等）に合焦するように自動的に合焦調整がなされるモード（多点ＡＦモードという）と、撮影画面内の複数の点の中で合焦ポイントをユーザが選択できるモード（単点ＡＦモードという）、及び合焦調整をユーザが手動で行うことができるモード（ＭＦモードという）とを有している。十字ボタン２０８ｃは、詳細は後述する合焦ポイントや拡大ポイントの選択等の各種選択指示をカメラ制御部２０６に与えるための操作部である。決定ボタン２０８ｄは、十字ボタン２０８ｃによって選択される各種項目の決定指示をカメラ制御部２０６に与えるための操作部である。拡大ボタン２０８ｅは、ライブビュー画像の拡大表示の際の各種指示をカメラ制御部２０６に与えるための操作部である。プレビューボタン２０８ｆは、カメラ本体２００の動作モードをプレビューモードに設定するための指示を、カメラ制御部２０６に与えるための操作部である。ここで、本実施形態におけるプレビューモードとは、撮影前の露出パラメータ（特に絞り値）の違いによる画像の効果をライブビュー画像上で確認することができるモードのことである。
【００２２】
なお、操作部２０８を構成する各操作部材は、図２に示すようにしてカメラ本体２００の外装部に配置される。
【００２３】
以下、図３を参照して本実施形態の撮像装置における作用を説明する。図３は図１の撮像装置の撮影に係るメインの動作について示すフローチャートである。
【００２４】
ユーザの操作により、カメラ本体２００の動作モードが撮影モードに設定されると（ステップＳ１）、カメラ制御部２０６はライブビュー画像表示のための処理を行う（ステップＳ２）。即ち、絞り１０２及び図示しないシャッタを開放したまま、カメラ制御部２０６は、出力画像が適切な濃度となるように撮像素子駆動回路２０１ｂを制御して撮像素子２０１ａによる被写体の撮像を繰り返し行い、これによって撮像信号処理回路２０１ｃから逐次出力される画像データを画像処理部２０２において処理し、表示部２０３に動画像（ライブビュー画像）として表示させる。
【００２５】
次に、カメラ制御部２０６は合焦モードがＭＦモードに設定されているか否かを判定する（ステップＳ３）。ステップＳ３の判定において、合焦モードがＭＦモードに設定されていない場合に、カメラ制御部２０６は、合焦ポイントを設定しないモード、即ち多点ＡＦモードに合焦モードが設定されているか否かを判定する（ステップＳ４）。ステップＳ４の判定において、合焦モードが多点ＡＦモードに設定されている場合に、ユーザの合焦操作によりカメラ制御部２０６はレンズ制御部１０５を介してフォーカスレンズ１０１の合焦調整を行うと共に、合焦調整がなされたことをユーザに通知するために、合焦ポイントを例えば図４の参照符号５０１で示すようにして表示させる（ステップＳ５）。その後にステップＳ２５に移行する。なお、ステップＳ５の自動合焦調整（ＡＦ）は山登り方式等の周知の手法を用いて行うことが可能である。
【００２６】
また、ステップＳ４の判定において、合焦モードが単点ＡＦモードに設定されている場合に、カメラ制御部２０６は、ユーザ操作を受けて合焦ポイントを設定する（ステップＳ６）。例えば、ユーザは、図５のようにライブビュー画像が表示されている間に、十字ボタン２０８ｃを操作して枠６０１を自身がピントを合わせたい位置に移動させた後で、決定ボタン２０８ｄを押圧する。これを受けてカメラ制御部２０６は、合焦ポイントを設定する。
【００２７】
合焦ポイントを設定した後、カメラ制御部２０６は、拡大ボタン２０８ｅが押圧されたか否かを判定する（ステップＳ７）。ステップＳ７の判定において拡大ボタン２０８ｅが押圧されていない場合には、ステップＳ５に移行して、ユーザによって設定された合焦ポイントにピントが合うようにフォーカスレンズ１０１の合焦調整を行うと共に、合焦がなされたことをユーザに通知するために、図４と同様にして合焦ポイント（ここではユーザによって設定されたもの）５０１を表示させる。
【００２８】
また、ステップＳ７の判定において、拡大ボタン２０８ｅが押圧された場合に、カメラ制御部２０６は、ユーザによって設定された合焦ポイントを拡大ポイントに設定する（ステップＳ８）。続いて、ライブビュー画像上に拡大ポイントの選択のための枠６０１を図５の場合と同様にして表示させ、ユーザによって拡大ポイントの設定が終了操作されたか否かを判定する（ステップＳ９）。ステップＳ９の判定において、拡大ポイントの設定が終了された場合に、カメラ制御部２０６は、ユーザによって設定された合焦ポイント内の画像を、図６に示すようにして拡大表示させる（ステップＳ１０）。例えば、合焦ポイントを拡大ポイントに設定した後の所定時間、拡大ポイントの設定操作がなされなかった場合に合焦ポイントのみの拡大表示を行うようにする。あるいは、拡大ポイント設定の終了操作（例えば、拡大ボタン２０８ｅが再び押圧された）がなされたか否かにより、拡大ポイントの設定終了を判定するようにしても良い。
【００２９】
合焦ポイントの拡大表示の後に、ユーザの合焦操作によりカメラ制御部２０６はレンズ制御部１０５を介してユーザによって設定された合焦ポイントにピントが合うようにフォーカスレンズ１０１の合焦調整を行うと共に、合焦調整がなされたことをユーザに通知するために合焦表示を行う（ステップＳ１１）。なお、ここでの合焦表示は、例えば合焦がなされたことをユーザに通知するための文字列やマークを表示させる。その後にステップＳ２５に移行する。
【００３０】
また、ステップＳ９の判定の判定において、ユーザによる拡大ポイントの設定が終了されておらず、ユーザによって複数の拡大ポイントの設定操作がなされた場合に、カメラ制御部２０６は、ユーザ操作を受けて拡大ポイントを設定する（ステップＳ１２）。例えば、合焦ポイントの場合と同様に、ユーザは、十字ボタン２０８ｃを操作して枠６０１をライブビュー画像中で拡大させたい位置に移動させた後で、決定ボタン２０８ｄを押圧する。これを受けてカメラ制御部２０６は拡大ポイントを設定する。
【００３１】
拡大ポイントを設定した後、カメラ制御部２０６は、ユーザによって設定された拡大ポイント内の画像を、合焦ポイント内の画像と共に、図７に示すようにして拡大表示させる（ステップＳ１３）。
【００３２】
ここで、拡大表示の際の撮像素子からの信号の読み出しについて図８を参照して説明する。図８（ａ）は撮像素子２０１ａがＣＣＤ方式の場合の読み出しについて示した図であり、図８（ｂ）は撮像素子２０１ａがＣＭＯＳ方式の場合の読み出しについて示した図である。なお、ここでは拡大ポイントが３点設定された場合について説明する。
【００３３】
まず、ＣＣＤ方式の撮像素子の場合、画素単位で信号を読み出すことができない。したがって、撮像素子駆動回路２０１ｂは、図８（ａ）に示すように、拡大ポイントが含まれないラインの信号が間引かれて読み出され、拡大ポイントが含まれるラインの信号が間引かれずに読み出されるように撮像素子２０１ａを駆動する。そして、例えば撮像信号処理回路２０１ｃにおいて、間引かれずに読み出された信号のうち、不要な部分の信号のみを破棄することで、拡大ポイント内の画像データのみを取得する。なお、画像処理部２０２における拡大処理は従来周知の補間処理によって行えば良い。
【００３４】
一方、ＣＭＯＳ方式の撮像素子の場合、画素単位で信号を読み出すことができる。したがって、撮像素子駆動回路２０１ｂは、図８（ｂ）に示すように、拡大ポイント内の信号のみが読み出されるように撮像素子２０１ａを駆動する。
【００３５】
なお、合焦ポイント内の画像とその他のポイント内の画像の表示面積は同一であっても良いが、図７に示すように、合焦ポイント内の画像７０１の表示面積を、その他のポイント内の画像７０２の表示面積よりも大きくすることがより好ましい。これは、合焦ポイント内の画像が、ユーザがピントの状態を最も気にしている画像であると考えられるためである。ただし、表示面積を異ならせた場合であっても、各画像の拡大率については合焦ポイントもその他のポイントも等しくしておく。これは、拡大率を等しくしておかないと構図の確認を適切に行うことが困難になってしまうためである。
【００３６】
ステップＳ１３の拡大表示の後に、ステップＳ１１に移行して、カメラ制御部２０６はレンズ制御部１０５を介してユーザによって設定された合焦ポイントにピントが合うようにフォーカスレンズ１０１の合焦調整を行うと共に、合焦調整がなされたことをユーザに通知するために合焦表示を行う。その後にステップＳ２５に移行する。
【００３７】
また、ステップＳ３の判定において、合焦モードがＭＦモードである場合に、カメラ制御部２０６は、拡大ボタン２０８ｅが押圧されたか否かを判定する（ステップＳ１４）。ステップＳ１４の判定おいて拡大ボタン２０８ｅが押圧されていない場合には、ステップＳ２４に移行する。
【００３８】
また、ステップＳ１４の判定において拡大ボタン２０８ｅが押圧された場合には、カメラ制御部２０６は、ユーザ操作を受けて拡大ポイントを設定する（ステップＳ１５）。この拡大ポイントの設定操作はステップＳ１２の操作と同様で良い。
【００３９】
続いて、カメラ制御部２０６は、追加の拡大ポイントの設定操作がなされたか否かを判定する（ステップＳ１６）。この判定は、例えば拡大ポイントの設定後、所定時間、拡大ポイントの設定操作がなされなかった否か及びユーザによる所定の拡大ポイント設定の終了操作（例えば拡大ボタン２０８ｅの押圧）を受けたか否かにより判定すれば良い。ステップＳ１６の判定において、追加の拡大ポイントの設定操作がなされなかった場合に、カメラ制御部２０６は、ステップＳ１５において設定された拡大ポイント内の画像を、図６と同様にして拡大表示させる（ステップＳ１７）。その後にステップＳ２４に移行する。
【００４０】
また、ステップＳ１６の判定の判定において、追加の拡大ポイントの設定操作がなされた場合に、カメラ制御部２０６は、ユーザ操作を受けて拡大ポイントを設定する（ステップＳ１８）。その後、カメラ制御部２０６は、追加の拡大ポイントの設定が終了されたか否かを判定する（ステップＳ１９）。ステップＳ１９の判定において、追加の拡大ポイントの設定が終了されていない場合に、ステップＳ１８に戻り、カメラ制御部２０６は追加の拡大ポイントの設定操作を待つ。
【００４１】
一方、ステップＳ１９の判定において、追加の拡大ポイントの設定が終了された場合に、カメラ制御部２０６は、ユーザによって設定された複数の拡大ポイントに、表示面積の優先順位を設定するか否かを判定する（ステップＳ２０）。この判定は、ユーザによる所定の指示を受けたか否かを判定すれば良い。例えば、拡大ポイントを指示する時の決定ボタン２０８ｄの操作回数等で優先順位を決めるようにしても良い。ステップＳ２０の判定において、優先順位を設定しない場合に、カメラ制御部２０６は、ユーザによって設定された拡大ポイント内の画像を、図９に示すように同じ表示面積、同じ拡大率で拡大して表示させる（ステップＳ２１）。その後に、ステップＳ２４に移行する。また、ステップＳ２０の判定において、表示面積の優先順位を設定する場合に、カメラ制御部２０６は、ユーザ操作を受けて優先順位を設定する（ステップＳ２２）。そして、カメラ制御部２０６は、ユーザによって設定された拡大ポイント内の画像を同じ拡大率で拡大し、図１０に示すように、優先順位に従った表示面積となるように表示させる（ステップＳ２３）。その後に、ステップＳ２４に移行する。
【００４２】
ステップＳ１４、Ｓ１７、Ｓ２１、Ｓ２３の後、カメラ制御部２０６は待機状態となる。このとき、ユーザによるフォーカスレンズ１０１のマニュアル合焦調整（ＭＦ）操作を受けた場合には、それに応じて撮像素子２０１ａを介して取得されるライブビュー画像を表示部２０３に表示させる（ステップＳ２４）。そして、ＭＦ動作の終了後に、ステップＳ２５に移行する。
【００４３】
合焦調整がなされた後、カメラ制御部２０６は、ユーザによってレリーズボタン２０８ａが押圧されたか否かを判定する（ステップＳ２５）。ステップＳ２５の判定において、レリーズボタン２０８ａが押圧されていない場合にはステップＳ２に戻る。一方、ステップＳ２５の判定において、レリーズボタン２０８ａが押圧された場合には、設定されている絞り値及びシャッタ速度（撮像素子２０１ａの露光時間）で撮影（露光）動作を行い、これによって得られる画像データを画像記録媒体２０４に記録させる（ステップＳ２６）。その後、カメラ制御部２０６は撮影動作を終了するか否かを判定する（ステップＳ２７）。そして、ステップＳ２７の判定において、例えばユーザによって電源オフ操作がなされた場合や所定時間、無操作状態が継続された場合には撮影動作を終了する。一方、ステップＳ２７の判定において、撮影動作を終了させない場合にはステップＳ２に戻る。
【００４４】
以上が撮影時の基本動作であるが、本実施形態においては図３に示す動作中に、プレビューボタン２０８ｆが押圧された場合には、割り込み処理により図１１の処理が実行される。なお、図３にはプレビューボタン２０８ｆが押圧されそうなタイミングを例示している。図３に示すタイミング以外であっても、プレビューボタン２０８ｆが押圧された場合には図１１の処理が実行される。
【００４５】
図１１は、プレビューボタン２０８ｆが押圧された場合の処理について示すフローチャートである。プレビューボタン２０８ｆの押圧を受けた場合に、カメラ制御部２０６は、プレビューモードを電気的に保持しておくための情報が例えばＦｌａｓｈメモリ２０７に書き込まれているか否かを判定する（ステップＳ３１）。ステップＳ３１の判定において、プレビューモードを電気的に保持しておくための情報が設定されていない場合には、プレビューモードを電気的に保持しておくための情報をＦｌａｓｈメモリ２０７に書き込む（ステップＳ３２）。続いて、カメラ制御部２０６は、設定されている絞り値に従ってレンズ制御部１０５を介して絞り１０２を絞り込む（ステップＳ３３）。そして、絞り１０２を絞り込んだ状態で撮像素子２０１ａを繰り返し駆動させてライブビュー画像を取得し、表示部２０３に逐次表示させる（ステップＳ３４）。ここで、ステップＳ３３における絞り１０２の絞り込みによって画像が暗くなっているので、ステップＳ３４の処理においては、例えば撮像信号処理回路２０１ｃにおいて撮像素子２０１ａから得られる信号を増幅して適正な明るさの画像が得られるようにする。ステップＳ３４の後、プレビューモードの状態を保持したまま図１１の処理を抜けて図３のフローチャートの処理に戻る。この後は、再びプレビューボタン２０８ｆが押圧されるまでは、絞り１０２の絞り込みが行われた場合にステップＳ３５の処理と同様の処理が行われる。
【００４６】
また、ステップＳ３１の判定において、プレビューモードを電気的に保持しておくための情報がＦｌａｓｈメモリ２０７に既に書き込まれている場合には、該情報をＦｌａｓｈメモリ２０７から消去した後（ステップＳ３５）、プレビューモードの終了処理を行う（ステップＳ３６）。即ち、絞り１０２を開放した後で、図３のステップＳ２と同様の通常のライブビュー表示を行う。その後、図１１の処理を抜けて図３のフローチャートの処理に戻る。
【００４７】
以上説明したように、本一実施形態では、ライブビュー表示中に複数の拡大ポイントを選択してそれら選択した拡大ポイント内の画像を拡大して表示可能としている。これにより、拡大ボタン２０８ｅが押圧された場合には、ユーザによって設定された全ての拡大ポイントにおけるピント状態を確認することが可能であり、ユーザは、自身の意図に沿ったピント確認を迅速に行うことが可能である。
【００４８】
また、複数の部分画像を拡大表示する際には、合焦ポイント内の画像や優先順位の高い画像の表示面積が最大となるように表示を行うようにしている。これにより、ユーザの関心が最も高いと考えられる被写体のピント状態を他の画像よりも詳細に確認することが可能である。また、拡大率を同一にすることで合焦度合（ぼけ度合い）を表示画像により感覚的に確認することが可能である。
【００４９】
ここで、図３の処理における合焦ポイント及び拡大ポイントの設定の手法は一例であり、ここで説明したものに限定されるものではない。
【００５０】
また、本一実施形態では、ライブビュー表示を行う表示部と拡大表示を行う表示部とを共通としているが、これらを別個に設けるようにしても良い。
【００５１】
以上実施形態に基づいて本発明を説明したが、本発明は上述した実施形態に限定されるものではなく、本発明の要旨の範囲内で種々の変形や応用が可能なことは勿論である。
【００５２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５３】
【図１】本発明の一実施形態に係る撮像装置の構成の一例を示すブロック図である。
【図２】撮像装置の一例としてのレンズ交換式デジタルカメラの背面斜視図である。
【図３】図１の撮像装置の撮影に係るメインの動作について示すフローチャートである。
【図４】単点ＡＦモード及び多点ＡＦモードにおける合焦状態のライブビュー画像について示す図である。
【図５】多点ＡＦモードにおける合焦ポイントの設定手法について説明するための図である。
【図６】１ポイントのみ拡大表示する場合の例について示す図である。
【図７】複数ポイントを拡大表示する場合の例について示す図である。
【図８】拡大表示時の撮像素子からの信号読み出しについて示す図である。
【図９】ＭＦモード時において優先度が設定されていない場合に複数ポイントを拡大表示する場合の例について示す図である。
【図１０】ＭＦモード時において優先度が設定されている場合に複数ポイントを拡大表示する場合の例について示す図である。
【図１１】プレビューボタンが押圧された場合の処理について示すフローチャートである。
【符号の説明】
【００５４】
１００…交換レンズ、１０１…フォーカスレンズ、１０２…絞り、１０３…レンズ駆動部、１０４…絞り駆動部、１０５…レンズ制御部、２００…カメラ本体、２０１…撮像部、２０２…画像処理部、２０３…表示部、２０４…画像記録媒体、２０５…外部インターフェイス（Ｉ／Ｆ）、２０６…カメラ制御部、２０７…Ｆｌａｓｈメモリ、２０８…操作部、２０８ａ…レリーズボタン、２０８ｂ…合焦モード切替ボタン、２０８ｃ…十字ボタン、２０８ｄ…決定ボタン、２０８ｅ…拡大ボタン、２０８ｆ…プレビューボタン
【図１】
2008160744.tif 000003
【図２】
2008160744.tif 000004
【図３】
2008160744.tif 000005
【図４】
2008160744.tif 000006
【図５】
2008160744.tif 000007
【図６】
2008160744.tif 000008
【図７】
2008160744.tif 000009
【図８】
2008160744.tif 000010
【図９】
2008160744.tif 000011
【図１０】
2008160744.tif 000012
【図１１】
2008160744.tif 000013